(57)【要約】      （修正有）【課題】充電式掃除機に充電するための充電台の機能が単一であることを解決する。【解決手段】掃除機２００に用いられる充電台は、本体１と、本体１に設けられ第一位置と第二位置との間に回動可能に構成されているペダル２と、本体１に設けられペダル２と常に係止している安全保護装置と、を備える。安全保護装置は、その押動によりペダル２との係止が解除され、ペダル２を第一位置から第二位置まで移動させるように構成されている。【選択図】図４
2017127855.tif 000002
【特許請求の範囲】
【請求項１】
本体と、
第一位置と第二位置との間に回動可能に前記本体に枢設されているペダルと、
前記本体に設けられており、前記ペダルと常に係止しており、押動されると、前記ペダルとの係止が解除されて前記ペダルを前記第一位置から前記第二位置まで移動させるように構成されている安全保護装置と、
を備えることを特徴とする掃除機用充電台。
【請求項２】
前記安全保護装置は、少なくとも２つ備えられ、前記少なくとも２つの安全保護装置は前記本体に互いに間隔をあけて設けられており、前記少なくとも２つの安全保護装置を押動すると、前記少なくとも２つの安全保護装置と前記ペダルとの係止が解除されて前記ペダルを前記第一位置から前記第二位置まで移動させるように構成されていることを特徴とする請求項１に記載の掃除機用充電台。
【請求項３】
前記安全保護装置は、
前記ペダルの側面に設けられており、前記ペダルのエッジと係止するための係止溝が形成されている安全保護部材と、
前記安全保護部材と前記本体との間に設けられており、前記ペダルの中心に向かって前記安全保護部材を常に押すように構成されている位置復帰部材と、
を備えることを特徴とする請求項１または２に記載の掃除機用充電台。
【請求項４】
前記安全保護部材は、回動可能に前記本体に枢設されており、
前記係止溝が前記安全保護部材の一端に形成されており、前記安全保護部材の他端を押動すると、前記安全保護部材の前記一端が前記ペダルの中心から離れる方向に向かって移動して前記ペダルのエッジと前記係止溝との係止を解除させるように構成されていることを特徴とする請求項３に記載の掃除機用充電台。
【請求項５】
前記安全保護部材の前記他端には前記安全保護部材の前記他端を押動するためのガイド面が備えられていることを特徴とする請求項４に記載の掃除機用充電台。
【請求項６】
前記ガイド面は、上から下へ前記ペダルの中心に向かって傾斜して延びているように構成されていることを特徴とする請求項５に記載の掃除機用充電台。
【請求項７】
前記ガイド面は、上から下へ前記ペダルの中心に向かって傾斜して延びている、傾斜平面または傾斜曲面になるように構成されていることを特徴とする請求項６に記載の掃除機用充電台。
【請求項８】
前記ペダルが前記第一位置にある場合には、前記安全保護部材の前記他端が前記本体の内側面から延出するように構成されていることを特徴とする請求項４〜７のいずれか一つに記載の掃除機用充電台。
【請求項９】
前記位置復帰部材は、弾性片またはばねであることを特徴とする請求項３〜８のいずれか一つに記載の掃除機用充電台。
【請求項１０】
前記安全保護装置は２つ備えられ、前記２つの安全保護装置は前記本体の左側と右側にそれぞれ位置していることを特徴とする請求項１〜９のいずれか一つに記載の掃除機用充電台。
【請求項１１】
前記ペダルが前記第一位置にある場合には、前記ペダルは水平であることを特徴とする請求項１に記載の掃除機用充電台。
【請求項１２】
前記ペダルが前記第一位置から前記第二位置まで回動する回動角度αは、
０°＜α≦６０°
の式を満足することを特徴とする請求項１〜１１のいずれか一つに記載の掃除機用充電台。
【請求項１３】
前記αは更に、
１°≦α≦１０°
の式を満足することを特徴とする請求項１２に記載の掃除機用充電台。
【請求項１４】
前記本体の頂部が開口しており、前記ペダルが前記本体に設けられているとともに前記本体の底壁と互いに間隔をあけて配置されていることを特徴とする請求項１〜１３のいずれか一つに記載の掃除機用充電台。
【請求項１５】
前記ペダルの下面には少なくとも１つの補強筋が設けられていることを特徴とする請求項１〜１４のいずれか一つに記載の掃除機用充電台。
【請求項１６】
前記本体内にはブレードが設けられており、前記ペダルの、前記ブレードに対応する位置に開口部が形成されており、
前記ペダルが前記第二位置にある場合には、前記ブレーは前記開口部から延出して前記ペダルに載置された掃除機の回転ブラシに巻きついた髪の毛を切るように構成されており、前記ペダルが前記第一位置にある場合には、前記ブレーは前記開口部の下に位置するように構成されていることを特徴とする請求項１〜１５のいずれか一つに記載の掃除機用充電台。
【請求項１７】
前記本体内に設けられたマイクロスイッチを更に備え、
前記ペダルが前記第二位置にある場合には、前記マイクロスイッチが押圧されて前記充電台に充電を停止させて前記回転ブラシを回転させるように構成されていることを特徴とする請求項１６に記載の掃除機用充電台。
【請求項１８】
前記ブレードは、前記ブレードの長さ方向に曲線状に延びていることを特徴とする請求項１６または１７に記載の掃除機用充電台。
【請求項１９】
前記ブレードは、前記長さ方向に弧状または波形形状に延びていることを特徴とする請求項１８に記載の掃除機用充電台。
【請求項２０】
前記本体は、基台を備え、前記ブレードと前記基台との間に弾性部材が設けられていることを特徴とする請求項１６〜１９のいずれか一つに記載の掃除機用充電台。
【請求項２１】
ブレード支持部を更に備え、
前記ブレード支持部は前記基台に設けられており、前記ブレードは前記ブレード支持部に設けられており、前記弾性部材は前記ブレードと前記ブレード支持部との間及び／または前記ブレード支持部と前記基台との間に設けられていることを特徴とする請求項２０に記載の掃除機用充電台。
【請求項２２】
前記弾性部材が前記ブレード支持部と前記基台との間に設けられている場合には、前記基台には、前記弾性部材を収容するための収容溝が形成されていることを特徴とする請求項２１に記載の掃除機用充電台。
【請求項２３】
前記弾性部材の上面は前記基台の上面より高いことを特徴とする請求項２２に記載の掃除機用充電台。
【請求項２４】
前記弾性部材は柔らかいプラスチックからなることを特徴とする請求項２０〜２３のいずれか１つに記載の掃除機用充電台。
【請求項２５】
前記ペダルには、前記開口部の形成されたバリアが設けられていることを特徴とする請求項１６〜２４のいずれか１つに記載の掃除機用充電台。
【請求項２６】
前記バリアは水平に設けられていることを特徴とする請求項２５に記載の掃除機用充電台。
【請求項２７】
前記バリアの、前記開口部に近接する部分の下面には逃げ溝が形成されていることを特徴とする請求項２５または２６に記載の掃除機用充電台。
【請求項２８】
前記逃げ溝の内壁は前記開口部の中心に向かう方向に前記バリアの上面との間の距離が次第に減少するように構成されていることを特徴とする請求項２７に記載の掃除機用充電台。
【請求項２９】
前記バリアは柔らかいプラスチックからなることを特徴とする請求項２５〜２８のいずれか一つに記載の掃除機用充電台。
【請求項３０】
前記ペダルは第一端と、第二端とを備え、
前記ペダルの前記第一端は、枢着軸を介して回動可能に前記本体に連結されており、
前記ペダルの前記第二端と前記本体との間に弾性位置復帰部材が設けられており、前記弾性位置復帰部材は、前記第一位置に向かって前記ペダルを常に押すように構成されていることを特徴とする請求項１〜２９のいずれか一つに記載の掃除機用充電台。
【請求項３１】
前記本体の、前記ペダルの第二端に近接する側にはストッパが設けられており、前記ストッパが前記ペダルの、前記弾性位置復帰部材から離れる側に位置していることを特徴とする請求項３０に記載の掃除機用充電台。
【請求項３２】
前記弾性位置復帰部材はばねであることを特徴とする請求項３０または３１に記載の掃除機用充電台。
【請求項３３】
前記ペダルは前後方向に延びており、前記ペダルの前記第一端は前記ペダルの後端であり、前記ペダルの前記第二端は前記ペダルの前端であることを特徴とする請求項３０〜３２のいずれか１つに記載の掃除機用充電台。
【発明の詳細な説明】
【技術分野】
【０００１】
本発明は、掃除機技術分野に関し、特に掃除機用充電台に関する。
【背景技術】
【０００２】
関連技術において、充電式掃除機に充電するための充電台は、充電機能のみを有するため、機能が単一である。
【発明の概要】
【０００３】
本発明は、先行技術に存在する技術問題点の少なくとも１つを解決することを趣旨とする。そのため、本発明は、少なくとも１つの安全保護装置とペダルとが係止する場合には、ペダルの第二位置までの移動を効果的に防止できる掃除機用充電台を提供することを一つの目的とする。
【０００４】
本発明の実施形態に係る掃除機用充電台は、本体と、第一位置と第二位置との間に回動可能に前記本体に枢設されているペダルと、前記本体に設けられており、前記ペダルと常に係止しており、押動されると、前記ペダルとの係止が解除されて前記ペダルを前記第一位置から前記第二位置まで移動させるように構成されている安全保護装置と、を備える。
【０００５】
本発明の実施形態に係る掃除機用充電台によれば、回動可能なペダルと安全保護装置とを設けることによって、安全保護装置とペダルとが係止する場合には、ペダルの第二位置までの移動を効果的に防止できる。
【０００６】
本発明の一つの例示によれば、前記安全保護装置は、少なくとも２つ備えられ、前記少なくとも２つの安全保護装置は前記本体に互いに間隔をあけて設けられており、前記少なくとも２つの安全保護装置を押動すると、前記少なくとも２つの安全保護装置と前記ペダルとの係止が解除されて前記ペダルを前記第一位置から前記第二位置まで移動させるように構成されている。
【０００７】
本発明の一つの例示によれば、前記安全保護装置は、前記ペダルの側面に設けられており、前記ペダルのエッジと係止するための係止溝が形成されている安全保護部材と、前記安全保護部材と前記本体との間に設けられており、前記ペダルの中心に向かって前記安全保護部材を常に押すように構成されている位置復帰部材と、を備える。
【０００８】
本発明の一つの例示によれば、前記安全保護部材は、回動可能に前記本体に枢設されており、第一端と、第二端とを備え、前記係止溝が前記安全保護部材の前記第二端に形成されており、前記安全保護部材の前記第一端を押動すると、前記安全保護部材の前記第二端が前記ペダルの中心から離れる方向に向かって移動して前記ペダルのエッジと前記係止溝との係止を解除させるように構成されている。
【０００９】
本発明の一つの例示によれば、前記安全保護部材の前記第一端には前記安全保護部材の前記第一端を押動するためのガイド面が備えられている。
【００１０】
本発明の一つの例示によれば、前記ガイド面は、上から下へ前記ペダルの中心に向かって傾斜して延びているように構成されている。
【００１１】
本発明の一つの例示によれば、前記ガイド面は、上から下へ前記ペダルの中心に向かって傾斜して延びている、傾斜平面または傾斜曲面になるように構成されている。
【００１２】
本発明の一つの例示によれば、前記ペダルが前記第一位置にある場合には、前記安全保護部材の前記第一端が前記本体の内側面から延出するように構成されている。
【００１３】
本発明の一つの例示によれば、前記位置復帰部材は、弾性片またはばねである。
【００１４】
本発明の一つの例示によれば、前記安全保護装置は２つ備えられ、前記２つの安全保護装置は前記本体の左側と右側にそれぞれ位置している。
【００１５】
本発明の一つの例示によれば、前記ペダルが前記第一位置にある場合には、前記ペダルは水平である。
【００１６】
本発明の一つの例示によれば、前記ペダルが前記第一位置から前記第二位置まで回動する回動角度αは、
０°＜α≦６０°・・・（式１）
の式を満足する。
【００１７】
本発明の一つの例示によれば、前記αは更に、
１°≦α≦１０°・・・（式２）
の式を満足する。
【００１８】
本発明の一つの例示によれば、前記本体の頂部が開口しており、前記ペダルが前記本体に設けられているとともに前記本体の底壁と互いに間隔をあけて配置されている。
【００１９】
本発明の一つの例示によれば、前記ペダルの下面には少なくとも１つの補強筋が設けられている。
【００２０】
本発明の一つの例示によれば、前記本体内にはブレードが設けられており、前記ペダルの、前記ブレードに対応する位置に開口部が形成されており、前記ペダルが前記第二位置にある場合には、前記ブレーは前記開口部から延出して前記ペダルに載置された掃除機の回転ブラシに巻きついた髪の毛を切るように構成されており、前記ペダルが前記第一位置にある場合には、前記ブレーは前記開口部の下に位置するように構成されている。
【００２１】
本発明の一つの例示によれば、前記掃除機用充電台は、前記本体内に設けられたマイクロスイッチを更に備え、前記ペダルが前記第二位置にある場合には、前記マイクロスイッチが押圧されて前記充電台に充電を停止させて前記回転ブラシを回転させるように構成されている。
【００２２】
本発明の一つの例示によれば、前記ブレードは立設されている。
【００２３】
本発明の一つの例示によれば、前記ブレードは、前記ブレードの長さ方向に曲線状に延びている。
【００２４】
本発明の一つの例示によれば、前記ブレードは、前記長さ方向に弧状または波形形状に延びている。
【００２５】
本発明の一つの例示によれば、前記本体は、基台を備え、前記ブレードと前記基台との間に弾性部材が設けられている
【００２６】
本発明の一つの例示によれば、前記掃除機用充電台は、ブレード支持部を更に備え、前記ブレード支持部は前記基台に設けられており、前記ブレードは前記ブレード支持部に設けられており、前記弾性部材は前記ブレードと前記ブレード支持部との間及び／または前記ブレード支持部と前記基台との間に設けられている。
【００２７】
本発明の一つの例示によれば、前記弾性部材が前記ブレード支持部と前記基台との間に設けられている場合には、前記基台には、前記弾性部材を収容するための収容溝が形成されている。
【００２８】
本発明の一つの例示によれば、前記弾性部材の上面は前記基台の上面より高い。
【００２９】
本発明の一つの例示によれば、前記弾性部材は柔らかいプラスチックからなる。
【００３０】
本発明の一つの例示によれば、前記ペダルには、前記開口部の形成されたバリアが設けられている。
【００３１】
本発明の一つの例示によれば、前記バリアは水平である。
【００３２】
本発明の一つの例示によれば、前記バリアの、前記開口部に近接する部分の下面には逃げ溝が形成されている。
【００３３】
本発明の一つの例示によれば、前記逃げ溝の内壁は前記開口部の中心に向かう方向に前記バリアの上面との間の距離が次第に減少するように構成されている。
【００３４】
本発明の一つの例示によれば、前記バリアは柔らかいプラスチックからなる。
【００３５】
本発明の一つの例示によれば、前記ペダルは第一端と、第二端とを備え、前記ペダルの前記第一端は、枢着軸を介して回動可能に前記本体に連結されており、前記ペダルの前記第二端と前記本体との間に弾性位置復帰部材が設けられており、前記弾性位置復帰部材は、前記第一位置に向かって前記ペダルを常に押すように構成されている。
【００３６】
本発明の一つの例示によれば、前記本体の、前記ペダルの第二端に近接する側にはストッパが設けられており、前記ストッパが前記ペダルの、前記弾性位置復帰部材から離れる側に位置している。
【００３７】
本発明の一つの例示によれば、前記弾性位置復帰部材はばねである。
【００３８】
本発明の一つの例示によれば、前記ペダルは前後方向に延びており、前記ペダルの前記第一端は前記ペダルの後端であり、前記ペダルの前記第二端は前記ペダルの前端である。
【００３９】
本発明の付加の方面及び利点が下記の説明において部分的に表れられ、一部が下記の説明よりより明らかとなり、或は本発明の実行より了解できる。
【図面の簡単な説明】
【００４０】
本発明の上述及び／或いは付加的方面とメリットは、下記の図面を結合した実施形態に対する説明において、明らかになり、理解されることが容易になる。その中で、
【図１】本発明の実施形態による掃除機用充電台の上面図である；
【図２】本発明の実施形態による掃除機用充電台の縦断面図である（ここで、ペダルが第一位置にある）；
【図３】本発明の実施形態による掃除機用充電台の縦断面図である（ここで、ペダルが第二位置にある）；
【図４】本発明の別の実施形態による掃除機用充電台及び掃除機の回転ブラシの概略図である；
【図５】本発明の別の実施形態による掃除機用充電台及び掃除機の回転ブラシの別の概略図である；
【図６】本発明の実施形態による掃除機用充電台の横断面図である（ここで、左側の安全保護装置とペダルとの係止が解除されており、右側の安全保護装置とペダルとが係止している）；
【図７】本発明の別の実施形態による掃除機用充電台の上面図である；
【図８】図７のＡ−Ａ線に沿った断面図である；
【図９】図７に示す掃除機用充電台の正面図である；
【図１０】図９のＢ−Ｂ線に沿った断面図である；
【図１１】本発明の実施形態によるブレード及び回転ブラシの構造概略図である；
【図１２】図１１に示すブレード及び回転ブラシの別の構造概略図である；
【図１３】本発明の実施形態による掃除機用充電台の一部を示す概略図である；
【図１４】本発明の実施形態による掃除機、バリア及びブレードの概略図である；
【図１５】図１４のＣ−Ｃ線に沿った断面図である；
【図１６】図１４に示す掃除機、バリア及びブレードの底面図である。
【発明を実施するための形態】
【００４１】
以下に、本発明の実施形態を詳細に説明する。前記実施形態の実例が図面において示されるが、一貫して同一または類似する符号は、相同又は類似の部品、或いは、相同又は類似の機能を有する部品を表す。以下に、図面を参照しながら説明される実施形態が例示性のものであり、本発明を解釈するためだけに用いられるものであって、本発明を制限するように理解されてはならない。
【００４２】
本発明に対する説明において、用語である「中心」、「縦方向」、「横方向」、「長さ」、「厚さ」、「上」、「下」、「前」、「後」、「左」、「右」、「鉛直」、「水平」、「頂」、「底」、「内」、「外」、「時計回り」、「反時計回り」、「軸方向」、「径方向」、「周方向」などで表れる方位又は位置関係は、図面に示す方位又は位置関係に基づき、本発明を便利にまたは簡単に説明するために使用されるものであり、指定された装置又は部品が特定の方位にあり、特定の方位において構造され、操作されると指示又は暗示するものではないため、本発明に対する限定と理解してはいけない。
【００４３】
なお、用語である「第一」、「第二」は説明のためだけに用いられるものであり、比較的な重要性を指示又は暗示するか、或いは示された技術特徴の数を黙示的に明示すると理解してはいけない。そこで、「第一」、「第二」が限定されている特徴は一つ又はより多くのこの特徴を含むことを明示又は暗示するのである。本発明の説明において、明確且つ具体的な限定がない限り、「複数」とは、二つ又は二つ以上のことを意味する。
【００４４】
なお、本発明の説明において、明確な規定と限定がない限り、用語である「取り付け」、「互いに接続」、「接続」の意味は広く理解されるべきである。例えば、固定接続や、着脱可能な接続や、あるいは一体的な接続でも可能である。機械的な接続や、電気接続や、あるいは直接的に互いに接続することや、中間媒体を介して間接的に互いに接続することや、二つの部品の内部が連通することや、二つの部品の相互作用の関係も可能である。当業者にとって、具体的な状況に応じて上記用語の本発明中の具体的な意味を理解することができる。
【００４５】
本発明において、明確な規定と限定がない限り、第一特徴が第二特徴の「上」又は「下」にあることは、第一特徴と第二特徴とが直接接触することを含んでもよく、第一特徴と第二特徴とが直接接触することなくそれらの間に別の特徴を介して接触することを含んでもよい。また、第一特徴が第二特徴の「上」、「上方」又は「上面」にあることは、第一特徴が第二特徴の真上及び斜め上にあることを含むか、或いは、単に第一特徴の水平高さが第二特徴より高いことだけを表す。第一特徴が第二特徴の「下」、「下方」又は「下面」にあることは、第一特徴が第二特徴の真下及び斜め下にあることを含むか、或いは、単に第一特徴の水平高さが第二特徴より低いことだけを表す。
【００４６】
以下に、図１〜図１６を参照して、本発明の実施形態による掃除機２００に用いられた充電台１００を説明する。充電台１００は例えば、充電式掃除機のような掃除機２００に充電することができる。
【００４７】
図１〜図１６に示すように、本発明の実施形態による掃除機２００に用いられた充電台１００は、本体１と、ペダル２と、安全保護装置３と、を備える。
【００４８】
本体１内にブレード４が設けられており、ブレード４は、充電台１００に載置された掃除機２００の回転ブラシ２０１に巻きついた髪の毛等を切ることができる。この場合には、充電台１００は、充電機能を有するだけでなく、回転ブラシ２０１に巻きついた髪の毛等をクリーンアップすることもできる。これによって、充電台１００の機能を増加し、回転ブラシ２０１に対するクリーンアップを容易にし、回転ブラシ２０１へのクリーンアップ過程を簡素化することができる。ここで、充電台１００のクリーンアップ機能を利用する場合には、掃除機２００は、充電式掃除機であってもよく、他のタイプの掃除機であってよい。
【００４９】
ペダル２は本体１に設けられており、かつ、ペダル２は第一位置と第二位置との間に回動することができる。ペダル２の、ブレード４に対応する位置に、開口部２１が形成されている。ペダル２が第一位置にある場合には、ブレード４ブレード４は開口部２１の下に位置し（図２に示す）、ペダル２が第二位置にある場合には、ブレード４は開口部２１から延出する（図３に示す）。ペダル２が前記第一位置にある場合には、ブレード４は、本体内１に収容され、開口部２１から露出しない。この時、充電式掃除機を充電台１００に載置して充電を実現でき、充電台１００を使用する安全性を確保することができる。ペダル２が前記第二位置にある場合には、ブレード４は、開口部２１から延出し、この時、掃除機２００を起動して回転ブラシ２０１を回転させ、これによって、ブレード４は回転ブラシ２０１に巻きついた髪の毛等を効果的に切ることができる。
【００５０】
安全保護装置３は一つであってもよく、複数であってもよい。安全保護装置３が一つである場合には、安全保護装置３は本体１に設けられており、安全保護装置３はペダル２と常に係止している。安全保護装置３を押動すると、安全保護装置３とペダル２との係止が解除されてペダル２を第一位置から第二位置まで移動させる。
【００５１】
安全保護装置３は、複数である場合には、少なくとも２つの安全保護装置３は、本体１に互いに間隔をあけて設けられており、各安全保護装置３は、ペダル２と常に係止している。少なくとも２つの安全保護装置３を押動すると、少なくとも２つの安全保護装置３とペダル２との係止が解除されてペダル２を第一位置から第二位置まで移動させる。通常の状況下で、安全保護装置３はペダル２と係止してペダル２を第一位置に保持させ、即ち、ブレード４が、本体１内に位置し、これによって、ペダル２を直接第二位置まで移動させてブレード４を露出させることによるユーザのけがという安全上の問題を効果的に防止することができる。しかも、回転ブラシ２０１に巻きついた髪の毛を切る必要がある場合には、全ての安全保護装置３を同時に押動して、全ての安全保護装置３とペダル２との係止を解除させ、この時、ペダル２が解放され、その後に、ペダル２を第二位置に回転させてブレード４を露出させて、回転ブラシ２０１に巻きついた髪の毛を切ることができる。この過程において、一部の安全保護装置３のみを押動すると、ペダル２は依然として第二位置まで移動できない。これによって、ユーサーの使用する安全性をさらに確保することができる。
【００５２】
本発明の実施形態による掃除機２００に用いられた充電台１００によれば、ブレード４を本体１に設けることによって、充電台１００の機能を増加し、かつ、回動可能なペダル２及び少なくとも２つの安全保護装置３を設けることによって、充電台１００を使用する安全性を効果的に確保することができる。
【００５３】
本発明の一つの例示によれば、ペダル２が第一位置にある場合には、ペダル２は水平に設けられており（図２に示す）、これによって、充電台１００全体の見栄えをより良くする。しかも、充電式掃除機に充電する場合には、充電式掃除機をペダル２に水平に載置することができる。ペダル２が第二位置にある場合には、ペダル２の前端は、その第一位置に対して下に位置する（図３に示す）。即ち、ペダル２が下に踏み込むことにより、ペダル２を第二位置まで移動させる。これによって、ユーザの使用する利便性を向上することができる。ここで、方向「前」とは、充電台１００の、ユーザに近づく方向であり、それに反対する方向は、「後」と定義される。
【００５４】
そのうち、ペダル２が第一位置から第二位置まで回動する回動角度αは以下の式１を満足する。
０°＜α≦６０°・・・（式１）
【００５５】
例えば、αは３０°である。更に、αは以下の式２を更に満足する。
１°≦α≦１０°・・・（式２）
【００５６】
例えば、αは３°または５°である。αの具体的な数値は、実際の必要に応じて変更することができ、本発明は、これに特に限定されない。
【００５７】
ペダル２が第一位置にある場合には、ブレード４の上端はペダル２の下面より低いことが好ましい。勿論、ブレード４の上端は、ペダル２の下面より高く、かつペダル２の上面より低くてもよい（図に示せず）。
【００５８】
図１及び図７に示すように、開口部２１が左右方向にそって延びており、ブレード４の長さ方向は、開口部２１の上述の延びている方向と同じであり、かつブレード４の長さ方向は、回転ブラシ２０１の長さ方向と同じである。これによって、ブレード４は回転ブラシ２０１に巻きついた髪の毛を十分に切ることができる。
【００５９】
任意選択で、ブレード４がブレード４の長さ方向に直線状に延びており（図７を示す）、これによって、加工が簡単であり、コストが低くなる。勿論、ブレード４がその長さ方向に曲線状に延びることもできる。これによって、髪の毛を切る過程において、ブレード４の安定性を効果的に確保することができ、ブレード４の、髪の毛を切る効果をより向上させることができる。例えば、ブレード４がその長さ方向に弧状に延びている。例えば、図１を参照して図１１〜図１３を結合し、ブレード４は本体１の中心から離れる方向に向かって湾曲している。具体的には、ブレード４が、回転ブラシ２０１の中心軸線からずらしている同時に、回転ブラシ２０１の中心に近接する方向に向かって湾曲している。これによって、回転ブラシ２０１に巻きついた髪の毛を効果的に切ることができる。勿論、ブレード４はその長さ方向に波形形状に延びることもできる（図に示せず）。これによって、同様に、髪の毛を切る過程において、ブレード４の安定性を確保することができ、ブレード４が変形しにくくなる。
【００６０】
図１３に示すように、本体１は基台１１を備え、ブレード４は、基台１１に設けられており、掃除機の回転ブラシに巻きついた髪の毛を切るために用いられる。髪の毛を切る過程において、ブレード４の上端は回転ブラシの回転ブラシ凸部２０２と接触して（図に示せず）、回転ブラシ凸部２０２に巻きついた髪の毛を容易に切る。この場合、掃除機は、充電式掃除機であってもよく、他のタイプの掃除機であってよい。
【００６１】
図１３を参照して、弾性部材４２はブレード４と基台１１との間に設けられている。任意選択で、弾性部材４２は柔らかいプラスチックからなるが、これに限定されない。これによって、充電台１００が動作する過程において、ブレード４が回転している回転ブラシ凸部２０２と締まりばめする場合には、弾性部材４２によって、ブレード４の高さを自動的に調節して、ブレード４が回転ブラシ凸部２０２と接触すぎないようにする。これによって、ブレード４の位置決め精度を大きく低減し、コストを低減し、製品の合格率を向上することができる。
【００６２】
本発明の幾つかの実施形態において、図１３に示すように、充電台１００は、ブレード支持部４１を更に備え、ブレード支持部４１は基台１１に設けられている。そのうち、ブレード支持部４１は、基台１１の内壁（例えば、図２中の底壁）に設けられることができる。ブレード４はブレード支持部４１に設けられており、例えば、ブレード４はブレード支持部４１に挿設されることができる。これによって、ブレード支持部４１を設けることによって、ブレード４が便利かつ確実に基台１１に取付けられることができる。ブレード４は、立設されることが好ましい。これによって、回転ブラシに巻きついた髪の毛を効果的に切ることができる。
【００６３】
弾性部材４２は、ブレード４とブレード支持部４１との間及び／またはブレード支持部４１と基台１１との間に設けられている。具体的には、弾性部材４２はブレード４とブレード支持部４１との間だけに設けられてもよく、ブレード支持部４１と基台１１との間だけに設けられてもよく、ブレード４とブレード支持部４１との間及びブレード支持部４１と基台１１との間に同時に設けられてもよい。例えば、図１３を参照して、弾性部材４２はブレード支持部４１と基台１１との間に設けられており、弾性部材４２の上端はブレード支持部４１の下端と連結されている。
【００６４】
具体的には、弾性部材４２は、ブレード支持部４１と基台１１との間に設けられている場合には、基台１１には弾性部材４２を収容するための収容溝１１１が形成されている。図１３を参照して、収容溝１１１は、基台１１の内壁の一部が基台１１の中心から離れる方向に向かって凹んで形成されている。これによって、弾性部材４２の着脱が容易となり、弾性部材４２の位置が安定し、充電台１００全体の性能を向上させることができる。
【００６５】
任意選択で、弾性部材４２の上面は基台１１の上面より高い。図１３を参照して、弾性部材４２の上面は基台１１の底壁の上面より高い。これによって、ブレード４の高さを容易に調節することができる。
【００６６】
ペダル２にはバリア２６が設けられており、バリア２６には上述の開口部２１が形成されている。例えば、図１４〜１６を参照して、バリア２６を掃除機の床ブラシ口の付近に設け、且つ床ブラシ口の下に位置することが好ましい。この場合、バリア２６と床ブラシ口の間の距離が近い。これによって、髪の毛を切る場合、回転ブラシ２０１によって振り切られた、切られた髪の毛がバリア２６に落ち、掃除機２００の掃除範囲を超えない。これによって、前記切られた髪の毛の掃除機２００の掃除できない範囲に落ちることによる２次汚染を回避することができる。
【００６７】
任意選択で、バリア２６は、水平に設けられている。これによって、バリア２６に落ちた髪の毛の集中分布を回避することができて、掃除機２００がバリア２６に落ちた髪の毛を容易に集塵カップに吸込み、集塵効率を向上させることができる。また、材料を節約し、材料コストを低減することもできる。
【００６８】
図１５に示すように、バリア２６の、開口部２１に近接する部分の下面には逃げ溝２６１が形成されている。更に、逃げ溝２６１の内壁は開口部２１の中心に向かう方向にバリア２６の上面との間の距離が次第に減少するように構成されている。即ち、ペダル２の、開口部２１に近接する部分は、開口部２１に向かう方向に、厚さが次第に薄くなる。これによって、ブレード４がバリア２６と接触するように防止し、バリア２６の使用寿命を延長し、使用コストを低減することができる。任意選択で、バリア２６は柔らかいプラスチックからなることができるが、これに限定されない。例えば、バリア２６は硬いプラスチックからなるバリア等であってもよい。回転ブラシ２０１によって振り切られた髪の毛が掃除機２００の掃除範囲に落ちることを確保すればよい。本発明は、これに具体的に限定されない。
【００６９】
図２、図３及び図１０に示すように、ペダル２の下面には少なくとも１つの補強筋２５が設けられている。例えば、補強筋２５は複数であってもよく、かつ複数の補強筋２５は、ペダル２の下面には均一に間隔をあけて設けられている。これによって、補強筋２５を設けることによって、ペダル２の強度を効果的に確保することができる。
【００７０】
本発明の一つの例示によれば、ブレード４が開口部から延出する場合には、ブレード４は、ペダル２に載置された掃除機２００の回転ブラシ２０１に巻きついた髪の毛を切るように用いられる。図９を参照して図１０を結合し、上述の充電台１００は、本体１内に設けられたマイクロスイッチ５を更に備え、ペダル２が第二位置にある場合には、マイクロスイッチ５を押圧して充電台１００に充電を停止させて回転ブラシ２０１を回転させる。
【００７１】
例えば、図１０に示すように、ペダル２は、枢着軸２２を介して回動可能に本体１に連結されており、マイクロスイッチ５は、充電台１００の後部に設けられており、かつペダル２の上に位置する。下にペダル２を踏み込む場合には、ペダル２の後端が上に移動してマイクロスイッチ５を押圧し、これによって、マイクロスイッチ５が充電台１００の充電機能をオフにし、ペダル２に載置された充電式掃除機への充電を停止し、充電式掃除機に信号を送信してそれを動作させることができる。この場合には、回転ブラシ２０１が回転し、ブレード４が髪の毛を切ることができる。ここで、マイクロスイッチ５の具体的な構造及び動作原理全体は、既存のものであり、ここで詳細に説明しない。
【００７２】
本発明の一つの具体的な実施形態によれば、図２〜５に示すように、ペダル２は、第一端と、第二端とを備え、ペダル２の第一端は、枢着軸２２を介して回動可能に本体１に連結されており、ペダル２の第二端と本体１との間に弾性位置復帰部材２３が設けられており、弾性位置復帰部材２３は、第一位置に向かってペダル２を常に押すように構成されている。即ち、ペダル２は、第一位置に常に保持される。任意選択で、弾性位置復帰部材２３はばねである。
【００７３】
例えば、図２〜図５に示すように、ペダル２は前後方向に延びており、ペダル２の前記第一端はペダル２の後端であり、ペダル２の前記第二端はペダル２の前端であり、ペダル２の後端は、左右方向にそって延びている枢着軸２２を介して回動可能に本体１に連結されており、ばねはペダル２の前端に設けられており、かつペダル２の下面と本体１の底壁との間に設けられている。ばねはペダル２を上に常に押して、ペダル２を水平位置にあるように保持させる。
【００７４】
更に、本体１の、ペダル２の第二端に近接する側にはストッパ２４が設けられており、ストッパ２４が、ペダル２の、弾性位置復帰部材２３から離れる側に位置している。例えば、図１〜３に示すように、ストッパ２４は、阻止板であり、阻止板は、本体の前側に設けられており、かつペダル２の上面と当て止めており、これによって、ペダル２のばねによる上に回転し続けることを防止することができる。
【００７５】
図４に示すように、充電式掃除機への充電が必要である場合には、充電式掃除機を充電台１００のペダル２に直接に載置して充電する。髪の毛を切る必要がある場合には、掃除機２００（この時、充電式掃除機に限定されない）をペダル２に載置したあとに、掃除機２００の前部を下に押すことによりペダル２の前端を下に移動して、ブレード４がペダル２の開口部２１から入り、掃除機２００を起動して回転ブラシ２０１を回転させて（例えば、上述のマイクロスイッチ５によって実現することができる）、髪の毛の切りを実現することができる（図５に示す）。
【００７６】
これによって、上述の充電台１００を設けることによって、髪の毛を自動的に切ることを実現でき、ユーザは、回転ブラシ２０１を取り外す必要がなく、髪の毛の切りを実現することができる。これによって、ユーザの利便性が大きく向上させることができる。
【００７７】
本発明の一つの具体的な実施形態によれば、本体１の頂部が開口しており、ペダル２は本体１に設けられており、ペダル２の上面は、本体１の上端面より低い、かつペダル２は本体１の底壁と互いに間隔をあけて配置されている。ペダル２と本体１との間に収容空間が規定されており、ブレード４、ばね等を当該収容空間内に配置することができる。
【００７８】
本発明の一つの実施形態によれば、図６〜８に示すように、各安全保護装置３は、安全保護部材３１と位置復帰部材３２と、を備える。安全保護部材３１は、ペダル２の側面に設けられており、安全保護部材３１には、ペダル２のエッジと係止するための係止溝３１１が形成されている。位置復帰部材３２は安全保護部材３１と本体１との間に設けられており、位置復帰部材３２はペダル２の中心に向かって安全保護部材３１を常に押すように構成されている。任意選択で、位置復帰部材３２は弾性片またはばねであることができる。これによって、安全保護部材３１を設けて、安全保護部材３１の係止溝３１１がペダル２のエッジと係止することによって、ペダル２が第二位置まで移動することによるブレード４の露出を防止することができる。更に、位置復帰部材３２を設けることによって、安全保護部材３１に作用する外力がない場合には、安全保護部材３１は、位置復帰部材３２の作用下で、係止溝３１１とペダル２のエッジとを係止させる。これによって、安全保護機能を実現することができる。
【００７９】
図６に示すように、安全保護部材３１は、回動可能に本体１に設けられており、安全保護部材３１は、第一端（例えば、図６中の上端）と、第二端（例えば、図６中の下端）とを備えており、ここで、係止溝３１１は、安全保護部材３１の第二端に形成されており、安全保護部材３１の第一端を押動すると、安全保護部材３１の第二端がペダル２の中心から離れる方向に移動してペダル２のエッジと係止溝３１１との係止を解除させる。
【００８０】
例えば、通常の状況下で、安全保護部材３１は立設される。係止溝３１１の、ペダル２の中心に向かう側に開放するとともに、ペダル２のエッジと係止する。この場合には、ペダル２を踏み込むと、ペダル２のエッジと係止溝３１１の内壁とが当て止めるため、ペダル２が第二位置まで移動できない。即ち、ブレード４は、開口部２１から延出できない。これによって、安全性を向上させることができる。髪の毛を切る必要がある場合には、例えば、安全保護部材３１の第一端を下に押動し、安全保護部材３１の第二端の係止溝３１１はペダル２から離れる方向に向かって移動して、ペダル２と分離する。この時、ペダル２を踏み込んで、ペダル２が第二位置まで移動できて、ブレード４を開口部２１から延出させて髪の毛の切りを実現することができる。
【００８１】
図６に示すように、ペダル２が第一位置にある場合には、安全保護部材３１の第一端は、本体１の内側面から延出し、かつペダル２の上に位置する。これによって、安全保護部材３１の第一端を容易に押動することができる。
【００８２】
更に、安全保護部材３１の第一端には、安全保護部材３１の第一端を押動するためのガイド面が備えられている。任意選択で、ガイド面は上から下へペダル２の中心に向かって傾斜して延びているように構成されている。例えば、ガイド面は、上から下へペダル２の中心に向かって傾斜して延びている、傾斜平面または傾斜曲面になるように構成されている。これによって、掃除機２００を上から下へ充電台１００に載置する過程において、掃除機２００の側面は、ガイド面にそって安全保護部材３１の第一端を下に押動してペダル２と安全保護部材３１との係止を解除させる。
【００８３】
図７に示すように、安全保護装置３は２つであり、かつ２つの安全保護装置３は、本体１の左側と右側にそれぞれ位置している。これによって、２つの安全保護装置３を設けることによって、２つの安全保護装置３を同時に押動すると共に、ペダル２を踏み込む場合のみ、ブレード４は充電台１００の内部から延出することができる。
【００８４】
ここで、安全保護装置３が２つである場合を例として説明する。充電台１００が掃除機に充電しない場合には、２つの安全保護装置３の安全保護部材３１が位置復帰部材３２の作用下でペダル２のエッジと係止する。この時、ペダル２を踏み込んでも、ペダル２は第二位置まで移動できない。即ち、ブレード４か開口部２１から延出することができない。更に、一方の安全保護装置３のみを押動し、かつ当該安全保護装置３とペダル２のエッジとの係止が解除される場合には、他方の安全保護装置３が依然としてペダル２のエッジと係止しているため、ペダル２が同様に第二位置まで移動できない。これによって、充電台１００の安全性を確保することができる。充電式掃除機に充電する必要がある場合には、または掃除機２００に対して髪の毛を切る必要がある場合には、掃除機２００を充電台１００に置くことができる。この過程において、掃除機２００は、２つの安全保護装置３の安全保護部材３１を押動し、それとペダル２との係止を解除させる。この時、充電式掃除機に充電することができる。ペダル２を踏み込んで、それを第二位置まで移動させると、ブレード４がペダル２の開口部２１から延出する。この時、髪の毛を切ることができる。
【００８５】
これによって、上述の安全保護装置３を設けることによって、充電しない場合には、不用意な押動による安全上の問題を防止することができる。
【００８６】
本発明の実施形態による充電台１００は、充電台１００の機能を増加でき、充電台１００を使用する安全性を向上することができる。
【００８７】
本発明の実施形態による充電台１００のほかの構成及び操作は、当業者にとって公知常識であり、ここで詳細に説明しない。
【００８８】
本明細書において、「一つの実施形態」、「幾つかの実施形態」、「示例」、「具体的な示例」或いは「幾つかの示例」など用語を参考した説明とは、該実施形態或いは示例に結合して説明された具体的特徴、構成、材料或いは特徴が、本発明の少なくとも一つの実施形態或いは示例に含まれることである。本明細書において、上記用語に対する例示的な表述は、必ずしも同じ実施形態或いは示例を示すことではない。又、説明された具体的特徴、構成、材料或いは特徴は、いずれか一つ或いは複数の実施形態又は示例において適切に結合することができる。
【００８９】
本発明の実施形態を示して説明したが、当業者にとって理解できるのは、本発明の原理及び主旨から逸脱しない限りこれらの実施形態に対して複種の変化、補正、切り替え及び変形を行うことができる。本発明の範囲は、特許請求の範囲及びその等価物により限定される。
【符号の説明】
【００９０】
１００：充電台、
１：本体、１１：基台、１１１：収容溝、
２：ペダル、２１：開口部、２２：枢着軸、２３：弾性位置復帰部材、２４：ストッパ、２５：補強筋、２６：バリア、２６１：逃げ溝、
３：安全保護装置、３１：安全保護部材、３１１：係止溝、３２：位置復帰部材、
４：ブレード、４１：ブレード支持部、４２：弾性部材、５：マイクロスイッチ、
２００：掃除機、２０１：回転ブラシ、２０２：回転ブラシ凸部。
【図１】
2017127855.tif 000003
【図２】
2017127855.tif 000004
【図３】
2017127855.tif 000005
【図４】
2017127855.tif 000006
【図５】
2017127855.tif 000007
【図６】
2017127855.tif 000008
【図７】
2017127855.tif 000009
【図８】
2017127855.tif 000010
【図９】
2017127855.tif 000011
【図１０】
2017127855.tif 000012
【図１１】
2017127855.tif 000013
【図１２】
2017127855.tif 000014
【図１３】
2017127855.tif 000015
【図１４】
2017127855.tif 000016
【図１５】
2017127855.tif 000017
【図１６】
2017127855.tif 000018